(57)【要約】【課題】多種の機能を有する携帯電話の使用制限を通話だけか全面的な禁止とかというようにどちらか一方に設定すると、場所、環境の相違によってはそこまで制限しなくてもよい場合がある。そのため、携帯電話の利用者と第三者との利益のバランスが最もよいところを見計らって使用の制限が変更されて設定されることが望ましい。【解決手段】携帯電話１を使用するのに不適切な禁止区域を通話だけ制限する第１の禁止区域と全面的に制限する第２の禁止区域とに分け、この禁止区域の情報を予め地図サーバ４に設定して携帯電話１がこれらの区域に入ったことをＧＰＳの位置検出とにより検知し、この検知したデータにより携帯電話１が第１の禁止区域にあるときは通話を制限し、第２の禁止区域にあるときは通話も含めて全面的に使用を制限する。【選択図】　　　図１
2004140725.tif 000002
【特許請求の範囲】
【請求項１】
ＧＰＳ衛星からの情報を受信して携帯電話の位置を検出する位置情報検出手段と、前記位置情報検出手段から得た位置情報を基に前記携帯電話の現在位置を判断して第１の使用禁止区域にあるときは第１の使用禁止信号を送信し、第２の使用禁止区域に有るときは第２の使用禁止信号を送信する基地局と、前記携帯電話が前記第１の使用禁止信号を受信したときに通話を不能に制御する第１の使用禁止制御手段と、前記携帯電話が前記第２の使用禁止信号を受信したときに前記通話を不能にすると共に通話以外の他の機能をも不能にする第２の使用禁止制御手段とを備えてなることを特徴とする携帯電話システム。
【請求項２】
ＧＰＳ衛星から情報を受信して携帯電話の位置を検出し、前記位置情報を基に第１の使用禁止区域にあるときは第１の使用禁止信号を送信し、第２の使用禁止区域にあるときは第２の使用禁止信号を送信する基地局と送受信し、前記携帯電話が前記第１の使用禁止信号を受信したときに前記携帯電話の通話を不能とし、前記第２の使用禁止信号を受信したときに前記通話以外の他の機能をも不能にすることを特徴とする携帯電話システム使用方法。
【発明の詳細な説明】
【０００１】
【発明の属する技術分野】
本発明は通話以外の各種の機能を有し且つＧＰＳにより現在位置を判断できる携帯電話システム及びその使用方法に関する。
【０００２】
【従来の技術】
近年、携帯電話は、単なる通話としての機能だけでなく、電子メール、電話番号のメモ機能等が付されて著しい発展を遂げている。一方では、携帯電話が電車、バス、病院等の場所で使用されて第三者に迷惑をかけるという問題が発生している。また、自動車の運転時に携帯電話を使用することは事故防止のために禁止されている。使用者は、上述したような不適切な場所での使用を控えるように注意をしてもどうしても不用意に使用してしまうことが多い。
【０００３】
そこで、従来は、携帯電話の利用者に対しその使用が不適切な場所であることを表示したり、強制的に使用を不能にすることが考えられている。その一例としては、ＧＰＳを利用して携帯電話の現在位置を検知し、この検知出力で病院、美術館、電車内等の使用が適切でない区域での着信を中止するようにボタン操作を不能にする等の対策を講じていた（例えば、特許文献１及び２参照）。また、利用者が自動車を運転している場合は、携帯電話の利用ができないようにＧＰＳと速度情報とをもちいて自動車による走行中であることを検知し携帯電話の使用ができないように制御する技術が提案されている（例えば、特許文献３参照）。
【０００４】
上記従来技術は、携帯電話の使用を全面的に禁止するか、電子メール、メモ機能等のデータ処理操作は可能にし通話だけ禁止するというようにどちらか一方に制限している。しかし、ますます多様な機能を有するようになってきている最近の携帯電話にあっては、場所、環境の相違に応じ、携帯電話の利用者と第三者の利益とのバランスの最もよいところを見計らって可変的に設定される使用制限が望まれる。
【０００５】
【特許文献１】
特開平１１−１８１５９号公報
【特許文献２】
特開２００２−６４８６６号公報
【特許文献３】
特開２００１−１６０９８５号公報
【０００６】
【発明が解決しようとする課題】
そこで、本発明は、携帯電話を使用するのに不適切な禁止区域を機能別に予め設定しておき、携帯電話がその禁止区域に在ることを検知し、場所、環境に応じて機能の使用制限がなされる携帯電話システム及び其使用方法を提供することを目的とする。
【０００７】
【課題を解決するための手段】
上記目的を達成するために、本発明の装置は、ＧＰＳ衛星からの情報を受信して携帯電話の位置を検出する位置情報検出手段（例えば、ＧＰＳ衛星２、位置情報検出部７、位置情報処理部９から構成される手段）と、前記位置情報検出手段から得た位置情報を基に前記携帯電話の現在位置を判断して第１の使用禁止区域にあるときは第１の使用禁止信号を送信し、第２の使用禁止区域に有るときは第２の使用禁止信号を送信する基地局（例えば、地図サーバ４を備えた基地局３から構成される手段）と、前記携帯電話が前記第１の使用禁止信号を受信したときに通話を不能に制御する第１の使用禁止制御手段（例えば、禁止データＤ１を送出する位置情報処理部９、ＣＰＵ１４から構成された手段）と、前記携帯電話が前記第２の使用禁止信号を受信したときに前記通話を不能にすると共に通話以外の他の機能をも不能にする第２の使用禁止制御手段（例えば、第１、第２の禁止データＤ１．Ｄ２を送出する位置情報処理部９、スイッチ回路２０から構成される手段）とを備えた携帯電話システムである。
【０００８】
また、上記目的を達成するために、本発明の方法は、ＧＰＳ衛星から情報を受信して携帯電話の位置を検出し（例えば、ＧＰＳ衛星２、位置情報検出部７、位置情報処理部９等による位置検出）、前記位置情報を基に第１の使用禁止区域にあるときは第１の使用禁止信号を送信し、第２の使用禁止区域にあるときは第２の使用禁止信号を送信する基地局と送受信し（例えば、地図サーバ４を備えた基地局３との送受信）、前記携帯電話が前記第１の使用禁止信号を受信したときに前記携帯電話の通話を不能とし前記第２の使用禁止信号を受信したときに前記通話以外の他の機能をも不能にする（例えば、第１、第２の禁止データＤ１，Ｄ２を送出する位置情報処理部９、スイッチ回路２０、ＣＰＵ１４による制御）携帯電話システム使用方法である。
【０００９】
【発明の実施の形態】
以下、図面を用いて本発明の実施の形態について説明する。
【００１０】
図１は、本発明の実施の形態の一例における携帯電話システムの全体的な構成を示すブロック図である。１は携帯電話、２はＧＰＳ衛星、３は基地局、４は基地局１側に設けた地図サーバ、５はＧＰＳ衛星２からの情報を受信するために携帯電話１に設けたアンテナ、６は基地局３との情報の送受信をするための携帯電話１に設けたアンテナである。
【００１１】
７はアンテナ５によって受信されたＧＰＳ衛星２からの情報に基づき携帯電話１の現在位置を検出するための位置情報検出部、８はアンテナ６と共に基地局３と情報の送受信を行う送受信部である。９は位置情報処理部であって、位置情報検出部７の検出出力を送受信部８から基地局３に送信し且つ基地局から送信される情報を処理するものである。
【００１２】
基地局３から送信される情報には、通話することが不適切な病院、官庁内等である第１の禁止区域を示す第１の禁止信号Ｐ１と、通話のみならずデータ処理操作も不適切な車両内、学校等である第２の禁止区域を示す第２の禁止信号Ｐ２が含まれている。第１の禁止区域に病院、官庁等を指定したのは、医療機器に対する悪影響防止、騒音対策の観点からであり、データ処理操作をも禁止しなくても第三者の利益が最小限守られるとの判断による。第２の使用禁禁止区域に車両内を指定した理由は、混雑している電車、バス等の中でデータ処理を操作することが他の乗客に迷惑となり、また、自動車の運転者の携帯電話の使用が禁止されているからである。第２の禁止区域に学校を指定したのは教育上の観点からである。
【００１３】
第１、第２の禁止信号Ｐ１，Ｐ２の送信は、予め地図サーバ４で設定されている第１、第２の禁止区域に携帯電話１が入っていることを検知することによりなされる。そして、携帯電話１は第１の禁止信号Ｐ１を受信すると位置情報処理部９が第１の禁止データＤ１を送出し、第２の禁止信号Ｐ２を受信すると位置情報処理部９が禁止データＤ２を送出するように処理する。
【００１４】
携帯電話１は、固定だけでなく電車、自動車等の車両内にあり移動している場合も第２の禁止区域として検知する必要がある。これを実行する構成は以下の通りである。１０は携帯電話１が移動している速度を検出するための速度情報検出部、１１は移動情報処理部であって、速度情報検出部１０の検出出力Ｖと位置データＤｐとにより携帯電話１が一定速度以上で移動していることを検出して車両内であることを検知するようになっている。そして、移動検出処理部１１は所定速度以上で移動していると第２の禁止区域に相当する第２の禁止データＤ２を送出するようになっている。
【００１５】
１２は送受信部８を介して通常の通話を達成させるための電話送受信部、１３は電子メール、電話番号のメモ機能等のデータ処理を操作するためのデータ処理部であり、データ処理用のＣＰＵ１４，メモリ１５から形成されている。１６は電子メールの内容、電話番号等を表示するための液晶表示素子からなる表示部である。１７はバッテリー、１８は携帯電話の各構成部への電源供給をオン、オフ制御するための電源スイッチ回路、１９は操作部であり、操作部１９の操作により、利用者が電源スイッチ回路１８をオン、オフ制御し、電話送受信部１２を作動して通話を行い、またデータ処理部を制御してデータ処理を行うことができる。２０は電源スイッチ回路１８と電話送受信部１２との間に接続されたスイッチ回路、２１は第１の禁止データＤ１と第２の禁止データＤ２との論理和をとるためのオア回路である。スイッチ回路２０は、常時はオンでありオア回路２１に出力が得られるとオフになるように制御される。ＣＰＵ１４は第２の禁止データＤ２の有無を判別し、第２の禁止データＤ２があるとデータ処理部１３の操作を不能にするように実行する。
【００１６】
次に、本発明の実施の態様の一例における動作について、図２のフローチャートによって説明する。
【００１７】
まず、操作部１９を操作して電源スイッチ回路１８をオン状態にして携帯電話１の夫々の回路にバッテリー１７から電源の供給を行う。その結果、ステップＳ１において、携帯電話１はＧＰＳ衛星２から位置情報を受信する。
【００１８】
ステップＳ２において、受信された位置情報を基地局３に送信して地図サーバ４のデータから得られた第１、第２の禁止信号Ｐ１，Ｐ２を受信する。そして、位置情報処理部９から送出される第１の禁止データＤ１，第２の禁止データＤ２から携帯電話１が禁止地域内に位置しているか否かを判別する。
【００１９】
禁止地域に内に位置していない場合は、ステップＳ３で示すように、通常の通話、データ処理操作等の全ての機能の使用が可能になる。
【００２０】
ステップＳ４において、位置情報処理部９により携帯電話１が第１の禁止区域に位置しているのか否かが判別される。
【００２１】
ステップＳ５において、第１の区域に位置していることと判別されると第１の禁止データＤ１が位置情報処理部９より発生される。
【００２２】
ステップＳ６おいて、第１の禁止データＤ１によりスイッチ部２０がオフ状態に転換され電話送受信部１２への電源供給が停止され通話が不能になる。
【００２３】
一方、ステップＳ４で第２の禁止区域に位置していると判別されると、ステップＳ７において、第２の禁止データＤ２が位置情報処理部９より発生される。
【００２４】
ステップＳ８おいて、ＣＰＵ１４は第２の禁止データＤが有ると判断しデータ処理部１３のデータ処理の操作を不能に処理する。併せて、第２の禁止データＤ２がオア回路２１を介してスイッチ回路２０に供給され、これをオフに転換させて通話を不能状態にする。従って、第２の禁止区域では、通話とデータ処理操作が不能となる。
【００２５】
携帯電話１は、常時、ＧＰＳ衛星２と基地局３との送受信がなされているので第１、２の禁止区域から脱すると第１の禁止データＤ１、第２の禁止データＤが
発生されずスイッチ回路２０がオン状態となると同時に、ＣＰＵ１４のデータ処理不能の状態が解除されて全ての使用が可能となる。もし、第１の禁止区域から第２の禁止区域に移動したならば，第１の禁止データＤ１の発生が停止し第２の禁止データＤ２が発生して通話不能状態から通話及びデータ処理操作の不能状態に転換される。これとは反対に、第２の禁止区域から第１の禁止区域の移動したならば第２の禁止データＤ２の発生が停止し第１の禁止データＤ１が発生して通話不能のみの状態に転換する。
【００２６】
本発明の実施の態様に一例によれば、携帯電話１は、常時、ＧＰＳ衛星２と基地局３との送受信により位置が監視され、使用禁止条件が異なる第１の禁止区域又は第２の禁止区域に入ったならばそれを示す第１の禁止データＤ１又は第２の禁止データＤ２が得られる。従って、第１の禁止データＤ１が得られることにより第１の禁止区域での禁止条件である通話の使用が自動的に制限される。一方、禁止データＤ２が得られることにより第２の禁止区域での禁止条件である通話とデータ処理操作を行うことが自動的に禁止される。
【００２７】
本発明の実施の態様の一例では、データ処理部１３は、第２の禁止データＤ２が得られたことによるＣＰＵ１４の処理によって操作不能になされたが、データ処理部１３に専用のスイッチ回路を設け、これを第２の禁止データＤ２でオン、オフ制御して操作不能を達成されるようにしてもよい。
【００２８】
尚、本発明においては、携帯電話が禁止区域にあり使用が制限されている旨をＣＰＵ１４で判別し表示部１６で表示するようにしてもよい。
【００２９】
【発明の効果】
上述したように、本発明の請求項１によれば、ＧＰＳ衛星からの情報を受信して携帯電話の位置を検出する位置情報検出手段と、位置情報検出手段から得た位置情報を基に携帯電話の現在位置を判断して第１の使用禁止区域にあるときは第１の使用禁止信号を送信し、第２の使用禁止区域に有るときは第２の使用禁止信号を送信する基地局と、携帯電話が前記第１の使用禁止信号を受信したときに通話を不能に制御する第１の使用禁止制御手段と、携帯電話が前記第２の使用禁止信号を受信したときに通話を不能にすると共に通話以外の他の機能をも不能にする第２の使用禁止制御手段とを備えたため、携帯電話の禁止区域での使用が自動的に制限される。また、異種の禁止区域で異種の使用制限がなされるため、携帯電話の利用者と第三者の利益のバランスが最もよいところに機能の使用制限が設定できるという効果を呈する携帯電話システムを提供できる。
【００３０】
また、本発明の請求項２によれば、ＧＰＳ衛星から情報を受信して携帯電話の位置を検出し、位置情報を基に第１の使用禁止区域にあるときは第１の使用禁止信号を送信し、第２の使用禁止区域にあるときは第２の使用禁止信号を送信する基地局と送受信し、携帯電話が第１の使用禁止信号を受信したときに携帯電話の通話を不能とし第２の使用禁止信号を受信したときに通話以外の他の機能をも不能にしたため、携帯電話の禁止区域での使用が自動的に制限される。また、異種の禁止区域で異種の使用制限がなされるため、携帯電話の利用者と第三者の利益のバランスが最もよいところに機能の使用制限が設定できるという効果を呈する携帯電話システム使用方法を提供できる。
【図面の簡単な説明】
【図１】本発明の実施の形態の一例を示す携帯電話システムのブロック図である。
【図２】本発明の実施の形態の一例における動作を示すフローチャートである。
【符号の説明】
１　　　　携帯電話
２　　　　ＧＰＳ衛星
３　　　　基地局
４　　　　地図サーバ
７　　　　位置情報検出部
８　　　　送受信部
９　　　　位置情報処理部
１０　　　速度情報検出部
１１　　　移動検出処理部
１２　　　電話送受信部
１３　　　データ処理部
１４　　　ＣＰＵ
１７　　　バッテリー
１８　　　電源スイッチ回路
１９　　　操作部
２０　　　スイッチ回路
【図１】
2004140725.tif 000003
【図２】
2004140725.tif 000004